(57)【特許請求の範囲】
【請求項１】
角柱状墓石の頂部付近を密着的に被覆できるよう形成した硬質発泡樹脂材製の墓石用帽子であって、当該墓石用帽子の前面部の一部分を、墓石前面文字表出部として切り欠き、該墓石前面文字表出部の両側を、前記角柱状墓石の頂部付近前面両端周辺をその側面に対して直角に抱持する抱持腕となるよう形成したことを特徴とする硬質発泡樹脂材製の墓石用帽子。
【発明の詳細な説明】
【技術分野】
【０００１】  本発明は、硬質の発泡スチロールなど、硬質発泡樹脂材を用いて作られる墓石用帽子に関するものである。
【背景技術】
【０００２】  墓石の頂部全体を覆う大きさで、下面に墓石の頂部が嵌合する嵌合部を形成した墓石カバーに関する先行技術として「墓石カバー」がある（例えば、特許文献１参照）。
また、墓石の被覆体に窓部を設け、墓名等を看取できるようにする先行技術として、「墓石用カバー」がある（例えば、特許文献２参照）。
【特許文献１】実開平２−３０４６９号公報（請求項１〜４，図１〜５）
【特許文献２】実開平４−６２７６５号公報（請求項１，図１〜２）
【発明の開示】
【発明が解決しようとする課題】
【０００３】  墓石は人の体と同じであって、頂部は頭を表すものであると言われている。
従って、寒暑の中に墓石の頂部を曝すことは好ましくなく、帽子を被せることで寒暑を防ぎ、ご先祖を丁重に供養しようとするものである。
発泡樹脂材を用いた墓石用の帽子は、軽量で耐熱性に優れている半面、風に飛ばされやすいという欠点がある。
また、角柱状墓石の頂部付近の前面部分は、その多くが上端部から５ｃｍ位の部位に最初の文字が表記されるので、帽子を風に飛ばされない程度に深く被せると、この最初の文字が隠れてしまうという問題が生じる。
上記実情に鑑み、軽量で耐熱性に優れている半面、風に飛ばされやすいという欠点がある発泡樹脂材製の墓石用帽子を、風に飛ばされないように深く被せることができ、かつ、墓石前面部の文字が隠れないように形成して提供しようとするものである。
【課題を解決するための手段】
【０００４】  上記課題を解決するため、本発明の硬質発泡樹脂材製の墓石用帽子は、角柱状墓石の頂部付近を密着的に被覆できるよう形成した硬質発泡樹脂材製の墓石用帽子であって、当該墓石用帽子の前面部の一部分を、墓石前面文字表出部として切り欠き、該墓石前面文字表出部の両側を、前記角柱状墓石の頂部付近前面両端周辺をその側面に対して直角に抱持する抱持腕となるよう形成する。
【発明の効果】
【０００５】  本発明の硬質発泡樹脂材製の墓石用帽子は、前面部に墓石前面文字表出部としての切り欠きを設けたので、墓石前面部の文字が隠れなくなって深く被せることができる帽子が作れるとともに、その切り欠き部の両側に形成した抱持腕が、角柱状墓石の頂部付近の前面両端周辺を墓石の側面に対して直角に抱え込む形になるので、硬質発泡樹脂材を用いたこととあいまって斜め後ろ上方にずれなくなり、風によって吹き飛ばされるのを防止することができる。
この場合、抱持腕を、角柱状墓石の前面部分を飾る飾り縁とすることができ、帽子のデザイン性を高めることができるので好都合である。【０００６】  また、本発明の硬質発泡樹脂材製の墓石用帽子は、帽子内の空洞部に線香を持った手を入れ、風を防ぎながら線香に火を点けるための道具として実用することができる。
この場合、帽子の切り欠き部からライターを持った手を入れることで、両手の自由度が大きくなり線香に火を点けるのが容易になるとともに、墓石に被せておくことで携行する手間が省けるので好都合である。
【発明を実施するための最良の形態】
【０００７】  本発明の硬質発泡樹脂材製の墓石用帽子は、角柱状墓石の頂部付近を密着的に被覆できるよう形成した硬質発泡樹脂材製の墓石用帽子で、墓石用帽子の前面部の一部分を墓石前面文字表出部として切り欠き、その墓石前面文字表出部の両側を、墓石の前面部を抱持する抱持腕となるよう形成する。
上記の抱持腕は、角柱状墓石の頂部付近の前面両端周辺を抱持するよう形成し、詳しくは、角柱状墓石の側面に対して墓石の前面部を直角に抱持するよう形成する。
帽子の素材には、硬質発泡スチロールなどの硬質発泡樹脂材を用いる。
帽子のデザインについては、前面部の一部分を、墓石前面文字表出部として切り欠き、その切り欠き部の両側を、角柱状墓石の頂部付近の前面部分を抱持する抱持腕となるよう形成する、という制約をうけるものの、人が被る帽子のデザインを準用することができ、例えば、帽子の頂部を山形にしたり平面状にしたり、あるいは、帽子の側面部を角柱状にしたり円柱状にしたりすることができる。また、ツバを設けたり、飾りベルトを設けたりすることができる。
帽子の形成は、発泡成形などにより成形するほか、ブロック状の硬質発泡樹脂材を刳り貫いて成形することもできる。
また、シュリンク材を用いてシュリンクして帽子の強度を高めたり、帽子表面に印刷したり印刷物を貼付や被覆してデザイン性を高めることができる。
また、帽子内部に防滑剤を塗布したり、防滑材を貼付したりする実施形態を選択することもできる。
【実施例１】
【０００８】    以下図面に基づいて実施例を説明する。
図１は、本発明の硬質発泡樹脂材製の墓石用帽子の一実施例を示す斜視図である。
墓石用帽子１は、硬質発泡樹脂材の一例として、硬質発泡スチロール材を用いて肉厚３ｃｍに設計され、発泡成形により作られている。
実施例では、墓石用帽子１は、角柱状墓石２の各側面部とは密着し、墓石頂部の上には若干の空隙が生じるよう設計され、多様な形状の頂部を有する墓石に対応できるよう考慮しつつ、頂部付近を密着的に被覆できるよう形成されている。
また、墓石用帽子１の外形については、頂部は山形に形成し、側面部は角柱状に形成されている。
その墓石用帽子１の前面部の一部分は墓石前面文字表出部３として擬宝珠形の切り欠きが設けられ、墓石前面文字Ａが隠れないよう形成されている。
そのため、墓石用帽子１は、墓石前面文字表出部３を設けずに墓石前面文字Ａが隠れないようにして作った帽子に比べ、角柱状墓石２の頂部付近を深く被覆できるよう形成されている。
切り欠いて作られた墓石前面文字表出部３の両側は、角柱状墓石２の前面部分の両端周辺を、角柱状墓石２の側面に対して直角に抱持する抱持腕４となるよう形成されるとともに、その切り欠いて作られた墓石前面文字表出部３の両側は、角柱状墓石２の前面部分を装飾的に被覆する飾り縁Ｂになるよう形成されている。
墓石用帽子１には、鍔は設けられていないが、望ましい一実施例として、外周に飾りベルトＣが巻きつけられ供養文字Ｄが記されている。
上記のようにして、硬質発泡樹脂材製の墓石用帽子１が作られている。
なお、墓石用帽子内の角柱状墓石の図示は省略されている。
【図面の簡単な説明】
【０００９】
【図１】本発明の硬質発泡樹脂材製の墓石用帽子の一実施例を示す斜視図である。
【符号の説明】
【００１０】１  墓石用帽子
２  角柱状墓石
３  墓石前面文字表出部
４  抱持腕
Ａ  墓石前面文字
Ｂ  飾り縁
Ｃ  飾りベルト
Ｄ  供養文字
【要約】      （修正有）【課題】軽量で耐熱性に優れる半面、風に飛ばされやすい欠点のある発泡樹脂材製の墓石用帽子を、風に飛ばされないように深く被せることができ、かつ、墓石前面部の文字が隠れないように形成して提供する。【解決手段】硬質発泡樹脂材製の墓石用帽子１は、角柱状墓石２の頂部付近を密着的に被覆できるよう形成した硬質発泡樹脂材製の墓石用帽子１であって、墓石用帽子１の前面部の一部分を、墓石前面文字表出部３として切り欠き、墓石前面文字表出部３の両側を、角柱状墓石２の頂部付近前面両端周辺をその側面に対して直角に抱持する抱持腕４となるよう形成する。【選択図】図１【図１】
0004740391.tif 000002